(57)【要約】【課題】  ハイドレーションリザーバの収容や取出し作業がし易いリュックサックの提供。【解決手段】  本体２と背負いベルト３を備え、ハイドレーションチューブ１０Ａが接続されるハイドレーションリザーバ１０Ｂを収容するための収容室６を備え、収容室６は、本体２の側部から底部に亘って形成された開閉口１１を開閉することで開鎖され、開閉口１１は本体２の底部から両側の側部に亘っており、本体２の上端に、背負いベルト３の一端側を支持させる支持部７を備え、開閉口１１のうち本体２の各側部に形成されている部分の上端は、支持部７の近傍まで延長されている。【選択図】  図４
2017225556.tif 000002
【特許請求の範囲】
【請求項１】
本体と背負いベルトを備え、
前記本体に、ハイドレーションチューブが接続されるハイドレーションリザーバを収容するための収容室を備え、
該収容室は、前記本体の側部から底部に亘って形成された開閉口を開閉することで開鎖されることを特徴とするリュックサック。
【請求項２】
前記開閉口は前記本体の底部から両側の側部に亘っており、
前記本体の上端に、前記背負いベルトの一端側を支持させる支持部を備え、
前記開閉口のうち前記本体の各側部に形成されている部分の上端は、前記支持部の近傍まで延長されている請求項１に記載のリュックサック。
【請求項３】
前記収容室に、ハイドレーションリザーバを着脱自在に吊持する吊持手段を備えた請求項２に記載のリュックサック。
【請求項４】
前記支持部は、前記背負いベルトの一端側を挿通支持するとともに、前記ハイドレーションチューブの途中部分を挿通支持する部分であり、
前記背負いベルトに、前記収容室から前記支持部を挿通して前記本体の外部へ導出される前記ハイドレーションチューブを着脱自在に装着させる装着手段を備え、
前記背負いベルトの一端部を着脱自在に保持する保持手段を前記収容室に備えた請求項２または請求項３に記載のリュックサック。
【発明の詳細な説明】
【技術分野】
【０００１】
本発明は、例えばサイクリストが自転車に搭乗する際に背負うリュックサックに関し、特にハイドレーションリザーバを装着可能なリュックサック（「ハイドレーションパック」とも称する）に関する。
【背景技術】
【０００２】
この種のリュックサックとして、例えば下記特許文献１に記載の技術が提案されている。特許文献１に記載のリュックサックは、本体の内部に後側収容領域と前側収容領域とを備え、本体にショルダーハーネス（背負いベルト）が取付けられている。
【０００３】
前記収容領域のうち、例えば、装着者の背側に対応する前側収容領域に、水分補給用のハイドレーションリザーバが着脱自在に収容される。ハイドレーションリザーバにはハイドレーションチューブが接続され、ハイドレーションチューブは、例えば、本体の内部からショルダーハーネスに沿うよう外部へ向けて導出される。
【０００４】
前側収容領域は、本体の側部に上下方向に設けられたスライドファスナを操作することで開閉される。すなわち、ハイドレーションリザーバは、本体の側部に設けられたスライドファスナのスライダを上下方向に操作して前側収容領域を開閉するようにして、収容したり取出したりされる。
【先行技術文献】
【特許文献】
【０００５】
【特許文献１】特開２０１３−５９５４８号公報
【発明の概要】
【発明が解決しようとする課題】
【０００６】
上記従来のリュックサックにおいて、本体に対するハイドレーションリザーバの着脱は、本体の側部に設けられたスライドファスナを操作して行われる。そして、ハイドレーションリザーバには、本体の内部から外部へ向けて導出されるハイドレーションチューブが接続される。
【０００７】
しかしながら、本体に設けられたスライドファスナは、本体の側部に上下方向に沿うのみである。このため、特許文献１のリュックサックでは、そもそもハイドレーションリザーバの収容や取出し作業がしにくく、しかもハイドレーションリザーバにはハイドレーションチューブが接続されているから、ハイドレーションリザーバの収容や取出し作業がいっそうしにくい。
【０００８】
本発明は上記課題に鑑み、ハイドレーションリザーバの収容や取出し作業がし易いリュックサックの提供を目的とする。
【課題を解決するための手段】
【０００９】
本発明のリュックサックは、本体と背負いベルトを備え、前記本体に、ハイドレーションチューブが接続されるハイドレーションリザーバを収容するための収容室を備え、該収容室は、前記本体の側部から底部に亘って形成された開閉口を開閉することで開鎖されることを特徴としている。
【００１０】
上記構成を備えた本発明のリュックサックによれば、開閉口が本体の側部から底部に亘って形成されているから、開閉口は本体表面のうちの大きな領域長さとなっており、したがって、その分だけ収容室を大きくすることが可能であるから、ハイドレーションリザーバにハイドレーションチューブが接続されていたとしても、収容室に対するハイドレーションリザーバの収容や取出し作業が容易である。
【００１１】
本発明のリュックサックでは、前記開閉口は前記本体の底部から両側の側部に亘っており、前記本体の上端に、前記背負いベルトの一端側を支持させる支持部を備え、前記開閉口のうち前記本体の各側部に形成されている部分の上端は、前記支持部の近傍まで延長された構成を採用できる。
【００１２】
上記構成のように、開閉口のうち本体の両側の側部に形成されている部分の上端が、本体の上端に備えた支持部の近傍まで延長されていれば、その分だけ開閉口の領域長さが長く、開閉口の領域長さに応じて開閉口を大きくさせられる。
【００１３】
本発明のリュックサックでは、前記収容室に、ハイドレーションリザーバを着脱自在に吊持する吊持手段を備えた構成を採用できる。
【００１４】
上記構成において、吊持手段にハイドレーションリザーバを吊持させることで、ハイドレーションリザーバを収容室内で安定させられ、吊持手段の吊持を解除することで、ハイドレーションリザーバを収容室から取出すことができる。
【００１５】
本発明のリュックサックでは、前記支持部は、前記背負いベルトの一端側を挿通支持するとともに、前記ハイドレーションチューブの途中部分を挿通支持する部分であり、前記背負いベルトに、前記収容室から前記支持部を挿通して前記本体の外部へ導出される前記ハイドレーションチューブを着脱自在に装着させる装着手段を備え、前記背負いベルトの一端部を着脱自在に保持する保持手段を前記収容室に備えた構成を採用できる。
【００１６】
上記構成によれば、保持手段により背負いベルトの一端部を保持することで、支持部から本体の外部へ導出されている背負いベルトの長さが確保され、保持手段による背負いベルトの一端部の保持を解除することにより、背負いベルトは本体の外部へ導出される長さを調節することができ、ハイドレーションチューブのうち、本体の外部へ導出されている部分は、装着手段によって背負いベルトに確実に装着させられる。
【発明の効果】
【００１７】
本発明のリュックサックによれば、ハイドレーションリザーバの収容や取出し作業がし易い。
【図面の簡単な説明】
【００１８】
【図１】本発明の一実施形態を表すリュックサックの後側からの斜視図である。
【図２】同側面図である。
【図３】同第一背負いベルト体と第二背負いベルト体との連結状態、および第一背負いベルト体と第二背負いベルト体の、本体に対する導出量を調節する調節手段を表した背面図である。
【図４】同ハイドレーションチューブが接続されたハイドレーションリザーバの収容状態を表した背面図である。
【図５】同本体と背負いベルトを分離して表した正面図である。
【図６】同リュックサック全体の正面図である。
【図７】同挟持用面ファスナと被挟持用面ファスナとの関係を表す背面図である。
【発明を実施するための形態】
【００１９】
以下、図１ないし図６に基づいて、本発明の一実施形態に係るリュックサック１を説明する。リュックサック１は、本実施形態では、使用者（着用者である）サイクリストが自転車に搭乗する際に背負うように用いられ、特にハイドレーションリザーバを装着可能な構成であり、ハイドレーションパックとも称される。
【００２０】
図１および図２に示すように、リュックサック１は、本体２と背負いベルト３とを備える。本体２は、収容物を収容するために袋状に形成されている。本体２は、第一収容室４、第二収容室５、および第三収容室６を備える。本体２の上端に、背負いベルト３の一端側を支持させる支持部７を備えている。
【００２１】
第一収容室４、第二収容室５、および第三収容室６は、本体２の内部に前後して配置されている。すなわち本実施形態では、リュックサック１の使用者（着用者側）を前側として特定しており、これら収容室は、第一収容室４、第二収容室５、第三収容室６の順に、本体２の後側から前側に順に配置されている。第一収容室４は本体２の底側に配置されており、第一スライドファスナ８によって開閉される。第二収容室５は、第一収容室４の前側に配置されて第一収容室４に比べて大きな領域とされている。第二収容室５は、本体２の後面の上部側と、後面および側面の境界に亘る第二スライドファスナ９によって開閉される。
【００２２】
第三収容室６は、複数の収容室のうち最も大きな領域を有する。第三収容室６は、専ら、ハイドレーションチューブ１０Ａが接続されるハイドレーションリザーバ１０Ｂを収容するための収容室である。第三収容室６は、本体２の前面部２Ａ側にあって、側部から底部に亘って形成された開閉口１１を、第三スライドファスナＳを介して開閉することで開鎖される。第三収容室６は、第二収容室５に比べて面積は大きい領域を占める一方で、前後方向の厚み寸法は小さく設定されている。
【００２３】
第三収容室６の開閉口１１は、本体２の底部から両側の側部に亘っており、本体２の上端の近傍まで延長されている。具体的に、開閉口１１のうち本体２の各側部に形成されている部分の上端１１ａは、支持部７の近傍まで延長されている。開閉口１１は、本体２を後側、前側に二分割するよう開くことのできる程度の領域範囲に形成されている。
【００２４】
図３および図４に示すように、第三収容室６は、ハイドレーションリザーバ１０Ｂを着脱自在に吊持する吊持手段を備えている。吊持手段は、生地からなる帯状の吊持用フック部材１２Ａと、吊持用フック部材１２Ａをフープ状に保持可能なドットボタン１２Ｂとを備える。吊持用フック部材１２Ａの一端は、本体２の前面部２Ａの生地のうち、第三収容室６の上端に相当する部分において、幅方向中心に縫着されている。ハイドレーションリザーバ１０Ｂはその上端に、吊持用フック部材１２Ａが通される挿通部１０ａを備えている。前面部２Ａの後面には、メッシュ生地により構成されて、ハイドレーションリザーバ１０Ｂの下部を収容可能とする収容部２Ｂが設けられている。
【００２５】
図５および図６に示すように、本体２の前面部２Ａの生地には硬質の板部材が内装され、前面部２Ａの生地の前面には、複数個のクッション材１３が並べて貼着されている。第三収容室６は、本体２の前面部２Ａの生地の後側に配置されている。支持部７は扁平な袋状に形成され、背負いベルト３の一端側の途中部分が挿通支持される。支持部７は、第三収容室６と本体２の外部を連通しており、背負いベルト３の一端側の途中部分が挿通される。前面部２Ａの下端における両隅部には、使用者の腹部に掛けられる腹部ベルト２Ｃが取付けられている。
【００２６】
背負いベルト３は、第一背負いベルト体１５、および第二背負いベルト体１６を備え、軟質の生地で形成されている。第一背負いベルト体１５は、第一上ベルト部１７および第一下ベルト部１８を備え、第二背負いベルト体１６は、第二上ベルト部１９および第二下ベルト部２０を備える（図６参照）。
【００２７】
第一上ベルト部１７および第二上ベルト部１９は、その長手方向の途中部分を支持部７に挿通され、本体２の内部で一体化されている。背負いベルト３において前記一端側とは、第一上ベルト部１７および第二上ベルト部１９を意味する。第一上ベルト部１７と第二上ベルト部１９を一体化している部分は、本体２の前面部２Ａの裏面側で、下方に向けて湾曲した湾曲部２１によって形成されている。
【００２８】
この湾曲部２１は、所定の剛性を有するよう湾曲した薄板状の保形部材（例えば、不図示の合成樹脂板）と、保形部材を覆う薄手の連設生地２２とを備え、第一上ベルト部１７および第二上ベルト部１９の各端部は、連設生地２２と一体化するよう縫着されている。
【００２９】
湾曲部２１の上下方向高さを調節することで、第一上ベルト部１７および第二上ベルト部１９における、本体２に対する導出量を調節する調節手段が設けられている。図３、図７に示すように、該調節手段は、背負いベルト３の一端部（湾曲部２１に相当する）を着脱自在に保持する保持手段を兼用している。調節手段は、面ファスナの組合せによって構成されている。すなわち、連設生地２２（湾曲部２１）は、本体２の前面部２Ａの裏面生地に対して、面ファスナによって着脱自在に構成されている。この面ファスナは、挟持用面ファスナ２３と、被挟持用面ファスナ２４とから構成されている。
【００３０】
挟持用面ファスナ２３は、係合面どうしを着脱自在に対向させており、一方の前側面ファスナ材２５、および他方の後側面ファスナ材２６から構成されている。前側面ファスナ材２５、および他方の後側面ファスナ材２６は、上下方向（丈方向）を長手方向としている。前側面ファスナ材２５は本体２の前面部２Ａの裏面生地に貼着されている。後側面ファスナ材２６は、前側面ファスナ材２５の上端部に一体的に設けられている。
【００３１】
被挟持用面ファスナ２４は、連設生地２２の前面および後面の双方の長手方向中心部（幅方向中心）に貼着するよう取付けられている。そして、被挟持用面ファスナ２４が挟持用面ファスナ２３に挟持されることで、湾曲部２１が挟持用面ファスナ２３を介して本体２に固定される。
【００３２】
第一上ベルト部１７および第二上ベルト部１９のうち少なくとも何れか一方の表面には、ハイドレーションチューブ１０Ａの途中部分が挿通される挿通用帯体２７が、ベルト部の長手方向に離間して複数箇所に縫着されている。また、ハイドレーションチューブ１０Ａの先端部を受けるよう把持する把持具２８が、ベルト部の端部に設けられている。この挿通用帯体２７および把持具２８は、装着手段に相当する。
【００３３】
第一背負いベルト体１５は、前記第一下ベルト部１８をさらに備えている。第一上ベルト部１７は、使用者（着用者）による本体２の着用状態において使用者の一方の肩部側から胸骨側（使用者の胴体の幅方向中心側）へ向けて斜め下方に延長される。これに対し、第一下ベルト部１８は、使用者の一方の腹部側（使用者の胴体の一方の横腹側）から胸骨側へ向けて斜め上方に延長されるよう本体２に取付けられている。第一下ベルト部１８の基端部は、本体２の下部の一方隅部に縫着されている。
【００３４】
第二背負いベルト体１６は、前記第二下ベルト部２０をさらに備えている。第二上ベルト部１９は、使用者（着用者）による本体２の着用状態において使用者の他方の肩部側から胸骨側（使用者の胴体の幅方向中心側）へ向けて斜め下方に延長される。これに対し、第二下ベルト部２０は、使用者の他方の腹部側（使用者の胴体の他方の横腹側）から胸骨側へ向けて斜め上方に延長されるよう本体２に取付けられている。第二下ベルト部２０の基端部は、本体２の下部の一方隅部に縫着されている。
【００３５】
第一上ベルト部１７において、本体２の外部への導出部分における下端部と、第一下ベルト部１８の上端部とは、第一調節具である第一バックル３０を介して着脱自在に連結されている。第一上ベルト部１７は、第一バックル３０を介して折返す量に応じて、長さを調節可能とされている。第二上ベルト部１９において、本体２の外部への導出部分における下端部と、第二下ベルト部２０の上端部とは、第二調節具である第二バックル３１を介して着脱自在に連結されている。第二上ベルト部１９は、第二バックル３１を介して折返す量に応じて、長さを調節可能とされている。
【００３６】
第一上ベルト部１７の長手方向途中部分では、側縁が略平行な帯状に形成され、第一上ベルト部１７の下部は、その上側の帯幅に比べて幅広に形成され、その縁は円弧状に形成されている。第二上ベルト部１９の長手方向途中部分では、側縁が略平行な帯状に形成され、第二上ベルト部１９の下部は、その上側の帯幅に比べて幅広に形成され、その縁は円弧状に形成されている。
【００３７】
図５および図６に示すように、第一上ベルト部１７の下部と第二上ベルト部１９の下部に、双方の下部の少なくとも一部どうしを前後に重ねることが可能で、該下部の幅方向での位置決めを行うための係止手段が、振り分けて配置されている。係止手段は、第一上ベルト部１７および第二上ベルト部１９のうちの一方に取付けられた一個のフック部材３２と、第一上ベルト部１７、および第二上ベルト部１９のうちの他方に設けられたフープ部材３３とを備えている。このうち、フープ部材３３は複数個を幅方向に並べて配置されており、各フープ部材３３を選択してその上方からフック部材３２が、着脱自在に係止される。
【００３８】
上記構成のリュックサック１では、これを使用者が背負う際に、本体２の外部へ導出されている背負いベルト３の長さ、あるいは本体２の外部へ導出させる長さを調節可能である。
【００３９】
本体２の外部へ導出されている背負いベルト３の長さは、第一上ベルト部１７においては、第一バックル３０に挿通支持されている位置の調節をし、第二上ベルト部１９においては、第二バックル３１に挿通支持されている位置の調節を行うことで、調節することができる。
【００４０】
第一上ベルト部１７、第二上ベルト部１９において、本体２の外部へ導出する長さを調節するには、まず、第三スライドファスナＳを開き、第三収容室６を開放させて、調節手段を露出させる。第三スライドファスナＳを開くことによって、本体２の前面部２Ａ側にあって、側部から底部に亘って形成された開閉口１１を開くことができ、図４に示すように、第三収容室６を大きく開放することができるから、調節手段が扱い易い。
【００４１】
第一上ベルト部１７、第二上ベルト部１９において、本体２の外部へ導出する長さを調節する際に、第一上ベルト部１７、および第二上ベルト部１９が調節手段によって固定されている場合で説明する。第一上ベルト部１７、および第二上ベルト部１９が調節手段によって固定されている状態は、換言すれば、被挟持用面ファスナ２４が挟持用面ファスナ２３に挟持されることで、湾曲部２１が挟持用面ファスナ２３（本体２）に固定されている状態である。
【００４２】
この状態から、前側面ファスナ材２５と後側面ファスナ材２６との係合を外し、前側面ファスナ材２５および後側面ファスナ材２６による湾曲部２１の挟持状態を解除する。これにより、本体２に対する湾曲部２１の上下位置が調節可能となる。湾曲部２１の上下位置を調節し、湾曲部２１の上下位置に応じるように第一上ベルト部１７、および第二上ベルト部１９の途中部分を支持部７に対して移動させる。このようにすることで、第一上ベルト部１７、および第二上ベルト部１９における、本体２の外部への導出量を調節することができる。
【００４３】
使用者の体格に合わせて、あるいは好みの装着感となるよう、第一上ベルト部１７および第二上ベルト部１９の導出量を調節すると、使用者に対して第一上ベルト部１７の下部、第二上ベルト部１９の下部の位置を調節することができる。そして、図３に示すように、第一上ベルト部１７、および第二上ベルト部１９の導出量を決定させるように、被挟持用面ファスナ２４を挟持用面ファスナ２３で挟持して、湾曲部２１を挟持用面ファスナ２３に固定する。このようにすることで、第一上ベルト部１７、および第二上ベルト部１９が本体２からそれ以上導出されないように固定できる。
【００４４】
このリュックサック１では、ハイドレーションリザーバ１０Ｂを、第三収容室６に着脱自在に収容することができる。ハイドレーションリザーバ１０Ｂを、第三収容室６に装着するには、ハイドレーションリザーバ１０Ｂの上端の挿通部１０ａに、吊持用フック部材１２Ａを通し、図４に示すように、ドットボタン１２Ｂどうしを嵌合させて、吊持用フック部材１２Ａをフープ状にする。これにより、ハイドレーションリザーバ１０Ｂを、第三収容室６内で吊持させることができる。第三スライドファスナＳを開くことによって、本体２の側部から底部に亘って形成された開閉口１１を開くことができ、第三収容室６を大きく開放することができるから、ハイドレーションリザーバ１０Ｂを、第三収容室６に収容する作業がし易い。
【００４５】
ハイドレーションリザーバ１０Ｂには、ハイドレーションチューブ１０Ａが接続されている。ハイドレーションチューブ１０Ａは、ハイドレーションリザーバ１０Ｂの収容前、あるいは収容後に、第三収容室６から一方の支持部７を通して、本体２の外部へ向けて導くようにする。一方の支持部７には、例えば第一上ベルト部１７が挿通されているから、図４に示すように、ハイドレーションチューブ１０Ａは、第一上ベルト部１７に沿うよう導出される。
【００４６】
本体２の外部へ導出されたハイドレーションチューブ１０Ａにおいて、その途中部分は、第一上ベルト部１７の途中部分に設けられた挿通用帯体２７を通し、ハイドレーションチューブ１０Ａの先端部は、把持具２８で把持させて安定させる。第三収容室６は大きく開放されることから、ハイドレーションチューブ１０Ａに係るこのような装着作業もまた、容易である。
【００４７】
第三スライドファスナＳを閉じることにより、第三収容室６が閉鎖される。使用者は、本体２の外部に露出している第一背負いベルト体１５、第二背負いベルト体１６に腕を通し、使用者の体格に合わせ、あるいは好みの装着感を得られるように何れかのフープ部材３３を選択して、フック部材３２をそのフープ部材３３に係止する。これにより、本体２を使用者にアジャストさせることができる。
【００４８】
吊持用フック部材１２Ａは、帯状の生地をフープ状に保持できるよう構成されている。このため、ハイドレーションリザーバ１０Ｂは、第三収容室６の内部で揺動可能な状態である。しかしながら、第三収容室６は、第二収容室５に比べて面積は大きい領域を占める一方で、前後方向の厚み寸法は小さく設定され、本体２の前面部２Ａの生地には硬質の板部材が内装され、第三収容室６は、本体２の前面部２Ａの生地の後側であって、使用者の背の後側近くに配置されている。また、ハイドレーションリザーバ１０Ｂの下部を収容部２Ｂに収容できる。このため、ハイドレーションリザーバ１０Ｂが、第三収容室６の内部で揺動可能であったとしても、使用者がリュックサック１を背負って自転車を運転しているなかで、第三収容室６に収容されたハイドレーションリザーバ１０Ｂの不要な挙動が抑えられる。
【００４９】
第一上ベルト部１７は、使用者による本体２の装着状態において、使用者の一方の肩部側から胸骨側へ向けて斜め下方に延長されよう本体２に支持され、第一下ベルト部１８は、使用者の一方の腹部側から胸骨側へ向けて斜め上方に延長されるよう、本体２に取付けられている。また、第二背負いベルト体１６の第二上ベルト部１９は、使用者による本体２の装着状態において、使用者の他方の肩部側から胸骨側へ向けて斜め下方に延長されよう本体２に支持され、第二下ベルト部２０は、使用者の他方の腹部側から胸骨側へ向けて斜め上方に延長されるよう、本体２に取付けられている。
【００５０】
この構成によれば、図６に示すように、フック部材３２をそのフープ部材３３に係止して第一背負いベルト体１５および第二背負いベルト体１６を一体化させても、第一背負いベルト体１５および第二背負いベルト体１６が捻られることがない。すなわち、第一背負いベルト体１５および第二背負いベルト体１６が、それぞれ使用者の体表面にフィットすることになり、第一背負いベルト体１５および第二背負いベルト体１６による違和感や、装着感の悪さを効果的抑制することができる。
【００５１】
第一背負いベルト体１５および第二背負いベルト体１６は、上記のように、本体２の左右端部側から幅方向中心に向かって斜めに延びた構成とすることで、特に、リュックサック１を背負って自転車に搭乗する場合では、第一背負いベルト体１５および第二背負いベルト体１６は、使用者（搭乗者）の胸筋や腹筋を回避した状態となる。このため、前傾姿勢で自転車に搭乗しても第一背負いベルト体１５および第二背負いベルト体１６による圧迫感がなく、快適な使用感（装着感）が得られる。
【００５２】
選択するフープ部材３３によっては、フック部材３２をそのフープ部材３３に係止した際、第一上ベルト部１７の下部と第二上ベルト部１９の下部とが前後で重ねられた状態となる。そうなると、いっそう確実に、本体２のアジャスト感が得られる。
【００５３】
本体２の外部へ導出されたハイドレーションチューブ１０Ａでは、その途中部分が、第一上ベルト部１７の途中部分に設けられた挿通用帯体２７に通され、ハイドレーションチューブ１０Ａの先端部は、把持具２８で把持されている。このため、把持具２８からハイドレーションチューブ１０Ａを外すことで、ハイドレーションチューブ１０Ａの先端部を、使用者が使い易い位置（咥え易い位置）に引出すことができ、利便性に優れる。
【００５４】
第三スライドファスナＳを開くことによって、本体２の側部から底部に亘って形成された開閉口１１を開くことができ、第三収容室６を大きく開放することができる。このため、ハイドレーションリザーバ１０Ｂを、第三収容室６に収容し易いことは、前述のとおりである。逆に、本体２の側部から底部に亘って形成された開閉口１１を開き、第三収容室６を大きく開放することができるため、ハイドレーションリザーバ１０Ｂを第三収容室６から取出し易い。
【００５５】
この場合、ドットボタン１２Ｂを離脱させると、吊持用フック部材１２Ａを帯状とすることができるから、ハイドレーションリザーバ１０Ｂの上端の挿通部１０ａから吊持用フック部材１２Ａを引抜くことで、ハイドレーションリザーバ１０Ｂの保持が解除され、ハイドレーションリザーバ１０Ｂを第三収容室６から取出すことができる。あるいは、ハイドレーションリザーバ１０Ｂを吊持用フック部材１２Ａ回りに回動させて、ハイドレーションリザーバ１０Ｂの一部のみを第三収容室６から引出すように取出すと、ハイドレーションリザーバ１０Ｂ内の水分残量の確認等ができる。
【００５６】
本発明は上記実施形態に限定されず、本発明の主旨を逸脱しない範囲で種々変形が可能である。その他、各部の具体的構成についても上記実施形態に限られるものではない。例えば、上記実施形態では、第三収容室６は、本体２の前面部２Ａ側に配置されているもので、開閉口１１のうち本体２の各側部に形成されている部分の上端は、支持部７の近傍まで延長された構成を例示した。しかしながら、開閉口１１は、その上端を、必ずしも支持部７の近傍まで延長させなくても、側部から底部に亘って形成されることを条件に、ハイドレーションリザーバ１０Ｂの着脱が容易な位置であればよい。
【００５７】
上記実施形態では、第三収容室６の開閉口１１は、スライドファスナによって開閉する構成としたが、スライドファスナの代わりに面ファスナ等の手段を用いることも可能である。上記実施形態では、ハイドレーションリザーバ１０Ｂを着脱自在に吊持する吊持手段として、生地からなる帯状の吊持用フック部材１２Ａと、吊持用フック部材１２Ａをフープ状に保持可能なドットボタン１２Ｂとを備えた構成を例示した。しかしながらこのような構成に限らず、吊持手段として、合成樹脂製の鉤状部材であってもよい。
【符号の説明】
【００５８】
１…リュックサック、２…本体、３…背負いベルト、６…第三収容室、７…支持部、１０Ａ…ハイドレーションチューブ、１０Ｂ…ハイドレーションリザーバ、１０ａ…挿通部、１１…開閉口、１１ａ…上端、１２Ａ…吊持用フック部材、１２Ｂ…ドットボタン、１５…第一背負いベルト体、１６…第二背負いベルト体、１７…第一上ベルト部、１８…第一下ベルト部、１９…第二上ベルト部、２０…第二下ベルト部、２１…湾曲部、２２…連設生地、２７…挿通用帯体、２８…把持具、３２…フック部材、３３…フープ部材、Ｓ…第三スライドファスナ
【図１】
2017225556.tif 000003
【図２】
2017225556.tif 000004
【図３】
2017225556.tif 000005
【図４】
2017225556.tif 000006
【図５】
2017225556.tif 000007
【図６】
2017225556.tif 000008
【図７】
2017225556.tif 000009